(57)【要約】【課題】  ミスト噴霧ノズル体の外径の大小にかかわらず容易に固定することができ、ミスト噴霧ノズル体をいずれの方向にも向けることができ、且つワイヤーへの取付け作業性が良いミスト噴霧ノズル体固定具を提供する。【解決手段】  一対のプレート体を備え、前記一対のプレート体で挟むことでワイヤーを保持せしめ、且つ前記ワイヤーの周方向である第一方向に前記ミスト噴霧ノズル体の向きを可変としてなるワイヤーホルダー部材と、前記ワイヤーホルダー部材に取り付けられ、前記ミスト噴霧ノズル体を把持固定するため前記ミスト噴霧ノズル体の外径に合わせて把持部が可変とされてなるクランプ部材を有し、且つ前記ワイヤーの周方向とは異なる第二方向に前記ミスト噴霧ノズル体の向きを可変としてなるノズル体把持固定部材と、を有する、ミスト噴霧ノズル体固定具とした。【選択図】図１
2019063769.tif 000002
【特許請求の範囲】
【請求項１】
ミストを噴霧するためのミスト噴霧ノズル体を取付けるためのワイヤーに前記ミスト噴霧ノズル体を固定するための固定具であって、
一対のプレート体を備え、前記一対のプレート体で挟むことでワイヤーを保持せしめ、且つ前記ワイヤーの周方向である第一方向に前記ミスト噴霧ノズル体の向きを可変としてなるワイヤーホルダー部材と、
前記ワイヤーホルダー部材に取り付けられ、前記ミスト噴霧ノズル体を把持固定するため前記ミスト噴霧ノズル体の外径に合わせて把持部が可変とされてなるクランプ部材を有し、且つ前記ワイヤーの周方向とは異なる第二方向に前記ミスト噴霧ノズル体の向きを可変としてなるノズル体把持固定部材と、
を有する、ミスト噴霧ノズル体固定具。
【請求項２】
前記第二方向が、前記第一方向に直交する方向である、請求項１記載のミスト噴霧ノズル体固定具。
【請求項３】
前記ワイヤーホルダー部材の前記一対のプレート体の少なくとも一つが屈曲部を有し、前記屈曲部に前記ワイヤーが保持せしめられ、前記ワイヤーホルダー部材の屈曲部の形状の曲率半径Ｒが、ワイヤー径Φ／２＞Ｒである、請求項１又は２記載のミスト噴霧ノズル体固定具。
【請求項４】
前記ワイヤーが、前記ワイヤーホルダー部材の前記一対のプレート体で保持される際に、前記ワイヤーの周面の横断面の３箇所が前記一対のプレート体に当接せしめられて保持されてなる、請求項１〜３いずれか１項記載のミスト噴霧ノズル体固定具。
【請求項５】
前記ワイヤーホルダー部材と前記ノズル体把持固定部材とが、それらを連結するための螺子部材によって連結されてなることにより、前記第二方向に前記ミスト噴霧ノズル体の向きが可変とされてなる、請求項１〜４いずれか１項記載のミスト噴霧ノズル体固定具。
【発明の詳細な説明】
【技術分野】
【０００１】
本発明は、ミストを噴霧するためのミスト噴霧ノズル体を取付けるためのワイヤーに固定するためのミスト噴霧ノズル体固定具に関する。
【背景技術】
【０００２】
従来、特に夏場などの気温が高い季節には、暑さ対策を目的として、道路や公園などの屋外のほか、競技場やコンサート会場など、屋内でも人が暑いと感じる場所などで、細かい霧状の水滴であるミストを空中に噴霧して、気温を下げたり、涼感を得ることが行われている。これは、ミストを散布すると気化熱による反応で周囲の温度が下がるので、暑さ対策になるためである。このようなミストの噴霧システムとしては、例えば特許文献１がある。
【０００３】
特許文献１のような噴霧システムでなくとも、ミストを空中に噴霧するにあたっては、例えば樹木等の頭上ぐらいの位置にワイヤーを横架せしめて該横架せしめられたワイヤーにミストの噴霧ノズルを所定間隔を空けて複数個取り付け、ミストを空中に噴霧することが行われている。
【０００４】
ワイヤーにミストの噴霧ノズルを取付けた状態である取り付け構造を図６に示す。図６において、ワイヤー１００には、ミストの噴霧ノズル体１０２が、固定金具１０４によって取り付けられている。
【０００５】
固定金具１０４は、噴霧ノズル体１０２に取り付けるための取付け螺子部材１０６と、ワイヤー１００が挿通される挿通部材１０８と、挿通部材１０８に挿通されたワイヤー１００を固定するための固定螺子部材１１０と、から構成されている。また、噴霧ノズル体１０２には、内部に水を通すためのホース１１２が接続されている。
【０００６】
図６に示すような従来の取り付け構造では、固定金具１０４と噴霧ノズル体１０２を連結固定する為に噴霧ノズル体１０２側に螺子加工が必要であり、外径がより小さな噴霧ノズル体１０２を取付けようとすると、固定金具１０４との連結が困難であった。また、ワイヤー１００を固定金具１０４の挿通部材１０８の挿通孔に通す必要があり、作業性が非常に悪い欠点があった。特に、このようなワイヤー１００は頭上などの高所に設置されることが多いため、多数の噴霧ノズル１０２をワイヤー１００に取り付けようとすると、作業性が非常に悪いと、取り付けに苦労するという問題があった。
【０００７】
また、固定金具１０４を作るためには、鋼材で作製されている挿通部材１０８などを切削加工及びタップ加工する必要があり、噴霧ノズル体１０２側のタップ加工を含め生産性が悪く、コストが高い部品形状となっていた。
【先行技術文献】
【特許文献】
【０００８】
【特許文献１】特開２０１５−１０２２６０
【発明の概要】
【発明が解決しようとする課題】
【０００９】
本発明は、上記従来技術に鑑みてなされたもので、ミスト噴霧ノズル体の外径の大小にかかわらず容易に固定することができ、ミスト噴霧ノズル体をいずれの方向にも向けることができ、且つワイヤーへの取付け作業性が良いミスト噴霧ノズル体固定具を提供することを目的とする。
【課題を解決するための手段】
【００１０】
上記課題を解決するために、本発明のミスト噴霧ノズル体固定具は、ミストを噴霧するためのミスト噴霧ノズル体を取付けるためのワイヤーに前記ミスト噴霧ノズル体を固定するための固定具であって、一対のプレート体を備え、前記一対のプレート体で挟むことでワイヤーを保持せしめ、且つ前記ワイヤーの周方向である第一方向に前記ミスト噴霧ノズル体の向きを可変としてなるワイヤーホルダー部材と、前記ワイヤーホルダー部材に取り付けられ、前記ミスト噴霧ノズル体を把持固定するため前記ミスト噴霧ノズル体の外径に合わせて把持部が可変とされてなるクランプ部材を有し、且つ前記ワイヤーの周方向とは異なる第二方向に前記ミスト噴霧ノズル体の向きを可変としてなるノズル体把持固定部材と、を有する、ミスト噴霧ノズル体固定具である。
【００１１】
前記第二方向が、前記第一方向に直交する方向であるのが好適である。
【００１２】
前記ワイヤーホルダー部材の前記一対のプレート体の少なくとも一つが屈曲部を有し、前記屈曲部に前記ワイヤーが保持せしめられ、前記ワイヤーホルダー部材の屈曲部の形状の曲率半径Ｒが、ワイヤー径Φ／２＞Ｒであるのが好適である。
【００１３】
前記ワイヤーが、前記ワイヤーホルダー部材の前記一対のプレート体で保持される際に、前記ワイヤーの周面の横断面の３箇所が前記一対のプレート体に当接せしめられて保持されてなるのが好適である。
【００１４】
前記ワイヤーホルダー部材と前記ノズル体把持固定部材とが、それらを連結するための単一の螺子部材によって連結されてなることにより、前記第二方向に前記ミスト噴霧ノズル体の向きが可変とされてなるのが好適である。
【発明の効果】
【００１５】
本発明のミスト噴霧ノズル体固定具は、ミスト噴霧ノズル体の外径の大小にかかわらず容易に固定することができ、ミスト噴霧ノズル体をいずれの方向にも向けることができ、且つワイヤーへの取付け作業性が良いミスト噴霧ノズル体固定具を提供することができるという著大な効果を奏する。
【００１６】
また、本発明のミスト噴霧ノズル体固定具は、生産性も良く、安価なコストで製造できるという効果も奏する。
【図面の簡単な説明】
【００１７】
【図１】本発明の一つの実施の形態であるミスト噴霧ノズル体固定具を用いて、ミストを噴霧するためのミスト噴霧ノズル体を取付けるためのワイヤーに固定した状態を示す模式側面図である。
【図２】図１に示したミスト噴霧ノズル体固定具の要部拡大図である。
【図３】図１の本発明のミスト噴霧ノズル体固定具を用いて、ミストを噴霧するためのミスト噴霧ノズル体を取付けるためのワイヤーに固定した状態を示す概略斜視図である。
【図４】本発明の別の実施の形態であるミスト噴霧ノズル体固定具を用いて、ミストを噴霧するためのミスト噴霧ノズル体を取付けるためのワイヤーに固定した状態を示す概略斜視図である。
【図５】図４に示したミスト噴霧ノズル体固定具の要部拡大図である。
【図６】従来のミスト噴霧ノズル体固定具を用いて、ミストを噴霧するためのミスト噴霧ノズル体を取付けるためのワイヤーに固定した状態を示す概略側面図である。
【発明を実施するための形態】
【００１８】
以下に本発明の実施の形態を説明するが、これら実施の形態は例示的に示されるもので、本発明の技術思想から逸脱しない限り種々の変形が可能なことはいうまでもない。図示において、同一部材は同一符号であらわされる。
【００１９】
本発明のミスト噴霧ノズル体固定具の一つの実施の形態を図１〜３に示す。図１〜３において、符号１０Ａは、本発明のミスト噴霧ノズル体固定具の一つの実施の形態を示す。
【００２０】
本発明のミスト噴霧ノズル体固定具１０Ａは、ミストを噴霧するためのミスト噴霧ノズル体１２を取付けるためのワイヤー１４に前記ミスト噴霧ノズル体１２を固定するための固定具である。なお、噴霧ノズル体１２には、内部に水を通すためのホース１６が接続されている。
【００２１】
本発明のミスト噴霧ノズル体固定具１０Ａは、一対のプレート体１８ａ，１８ｂを備え、前記一対のプレート体１８ａ，１８ｂで挟むことでワイヤー１４を保持せしめ、且つ前記ワイヤー１４の周方向である第一方向Ａに前記ミスト噴霧ノズル体１２の向きを可変としてなるワイヤーホルダー部材２０と、前記ワイヤーホルダー部材２０に取り付けられ、前記ミスト噴霧ノズル体１２を把持固定するため前記ミスト噴霧ノズル体１２の外径に合わせて把持部２２が可変とされてなるクランプ部材２４を有し、且つ前記ワイヤー１４の周方向とは異なる第二方向Ｂに前記ミスト噴霧ノズル体１２の向きを可変としてなるノズル体把持固定部材２６と、を有する構成とされている。
【００２２】
前記一対のプレート体１８ａ，１８ｂは、第一螺子部材２８と第二螺子部材２９とで固定されている。そして、前記ワイヤーホルダー部材２０と前記ノズル体把持固定部材２６とは、第二螺子部材２９によって連結されている。このように、第二螺子部材２９によって、前記一対のプレート体１８ａ，１８ｂの一部が固定されつつ、前記ワイヤーホルダー部材２０と前記ノズル体把持固定部材２６とが連結されることで、単一の螺子部材によって前記第二方向Ｂに前記ミスト噴霧ノズル体１２の向きが可変とされてなる。
【００２３】
また、クランプ部材２４としては、図示例では、ミスト噴霧ノズル体１２の外周を把持固定するリング状のクランプ部材の例を示し、クランプ部材２４がベースプレート３０に固定されている例を示した。図示例以外にも、前記ミスト噴霧ノズル体１２を把持固定でき、且つ前記ミスト噴霧ノズル体１２の外径に合わせて把持部２２が可変とされていれば、例えば、マグネットなどの固着手段を用いて、ベースプレート３０にミスト噴霧ノズル体１２を把持固定せしめる構成などを採用することも可能である。また、クランプ部材２４として、例えば合成樹脂製の結束バンドなどを使用することもできる。
【００２４】
また、前記第二方向Ｂとしては、前記第一方向Ａに直交する方向であるのが好適である。ミスト噴霧ノズル体１２の向きが、いかなる方向にも向けられるからである。
【００２５】
さらに、図２によく示されるように、前記ワイヤーホルダー部材２０の前記一対のプレート体１８ａ，１８ｂの少なくとも一つが屈曲部３２を有し、前記屈曲部３２に前記ワイヤー１４が保持せしめられ、前記ワイヤーホルダー部材２０の屈曲部３２の形状の曲率半径Ｒが、ワイヤー径Φ／２＞Ｒとされている。すなわち、図２に示されるように、前記ワイヤーホルダー部材２０のプレート体１８ｂの屈曲部３２の形状の曲率半径Ｒは、ワイヤーの直径Φの半分よりも小さくなる構成とされている。図示例では、曲率半径Ｒはプレート体１８ｂの内表面のコーナー形状とされている。
【００２６】
これにより、前記ワイヤー１４が、前記ワイヤーホルダー部材２０の前記一対のプレート体１８ａ，１８ｂで保持される際に、図２によく示される如く、前記ワイヤー１４の周面の横断面の３箇所が前記一対のプレート体１８ａ，１８ｂに当接せしめられて保持される。そのため、ワイヤーホルダー部材２０では、前記一対のプレート体１８ａ，１８ｂで挟むことでワイヤー１４を保持しつつ、前記ワイヤー１４の周方向である第一方向Ａに前記ミスト噴霧ノズル体１２の向きが可変とされている。
【００２７】
次に、本発明のミスト噴霧ノズル体固定具の別の実施の形態を図４〜５に示す。図４〜５において、符号１０Ｂは、本発明のミスト噴霧ノズル体固定具の別の実施の形態を示す。
【００２８】
本発明のミスト噴霧ノズル体固定具１０Ｂは、本発明のミスト噴霧ノズル体固定具１０Ａとは異なるタイプの一対のプレート体３４ａ，３４ｂを備えている。前記一対のプレート体３４ａ，３４ｂで挟むことでワイヤー１４を保持せしめ、且つ前記ワイヤー１４の周方向である第一方向Ａに前記ミスト噴霧ノズル体１２の向きを可変としてなるワイヤーホルダー部材３６とされている。
【００２９】
また、一対のプレート体３４ａ，３４ｂでワイヤー１４を保持するにあたっては、蝶ネジ部材３８，４０，４２で一対のプレート体３４ａ，３４ｂを固定している。そして、蝶螺子部材３８によって、前記一対のプレート体３４ａ，３４ｂの一部が固定されつつ、前記ワイヤーホルダー部材３６と前記ノズル体把持固定部材２６のベースプレート３０とが連結されることで、単一の蝶螺子部材によって前記第二方向Ｂに前記ミスト噴霧ノズル体１２の向きが可変とされてなる。
【００３０】
また、図４及び図５によく示されるように、ミスト噴霧ノズル体固定具１０Ｂでも、前記ワイヤーホルダー部材３６の前記一対のプレート体３４ａ，３４ｂの少なくとも一つが屈曲部４４を有し、前記屈曲部４４に前記ワイヤー１４が保持せしめられ、前記ワイヤーホルダー部材３６の屈曲部４４の形状の曲率半径Ｒが、ワイヤー径Φ／２＞Ｒとされている。すなわち、図４に示されるように、前記ワイヤーホルダー部材３６の屈曲部４４の形状の曲率半径Ｒは、ワイヤーの直径Φの半分よりも小さくなる構成とされている。図示例では、曲率半径Ｒはプレート体３４ｂの内表面のコーナー形状とされている。
【００３１】
これにより、前記ワイヤー１４が、前記ワイヤーホルダー部材３６の前記一対のプレート体３４ａ，３４ｂで保持される際に、図５によく示される如く、前記ワイヤー１４の周面の横断面の３箇所が前記一対のプレート体３４ａ，３４ｂに当接せしめられて保持される。そのため、ワイヤーホルダー部材３６でも、前記一対のプレート体３４ａ，３４ｂで挟むことでワイヤー１４を保持しつつ、前記ワイヤー１４の周方向である第一方向Ａに前記ミスト噴霧ノズル体１２の向きが可変とされている。
【００３２】
本発明のミスト噴霧ノズル体固定具１０Ｂは、本発明のミスト噴霧ノズル体固定具１０Ａとは異なるタイプの一対のプレート体３４ａ，３４ｂを備えており、蝶ネジ部材３８，４０，４２で前記一対のプレート体３４ａ，３４ｂが固定されている以外は、本発明のミスト噴霧ノズル体固定具１０Ａと同様の構成とされている。
【００３３】
上述のように構成されているため、本発明のミスト噴霧ノズル体固定具１０Ａ，１０Ｂは、ミスト噴霧ノズル体１２の外径の大小にかかわらず容易に固定することができ、ミスト噴霧ノズル体１２を上下左右のいずれの方向にも向けることができ、且つワイヤー１４への取付け作業性が良いミスト噴霧ノズル体固定具となっている。
【００３４】
また、本発明のミスト噴霧ノズル体固定具１０Ａ，１０Ｂは、鋼材で作製した例を示したが、切削加工やタップ加工をする必要がないため、生産性も良く、安価なコストで製造できる利点がある。
【００３５】
本発明のミスト噴霧ノズル体固定具１０Ａ，１０Ｂの材質としては、例えば金属や合成樹脂などで作製可能である。また、ミストとしては、ドライミストと呼ばれる細かい粒径のミストが好適である。噴霧されたミストの粒子径が小さければ、すばやく蒸発するため、気化熱による反応で周囲の温度が下がるので、優れた冷却効果が期待でき、また、衣類などが濡れる心配もないからである。
【００３６】
本発明のミスト噴霧ノズル体固定具は、ミストを噴霧するためのミスト噴霧ノズル体に使用するものであり、かかるミストを噴霧する場所としては、暑さ対策として、オリンピックなどが開催される競技場所や、公園、公共施設、工場などが挙げられる。また、農業用パイプハウスやビニールハウスでのミスト噴霧、食料品販売店舗での食料品の鮮度維持のためのミスト噴霧、牧畜場での暑さ対策のためのミスト噴霧なども挙げられる。そして、暑さ対策のための屋外・屋内におけるミスト噴霧に特に好適に用いることができる。
【符号の説明】
【００３７】
１０Ａ，１０Ｂ：本発明のミスト噴霧ノズル体固定具、１２，１０２：ミスト噴霧ノズル体、１４，１００：ワイヤー、１６，１１２：ホース、１８ａ，１８ｂ，３４ａ，３４ｂ：プレート体、２０，３６：ワイヤーホルダー部材、２２：把持部、２４：クランプ部材、２６：ノズル体把持固定部材、２８：第一螺子部材、２９：第二螺子部材、３０：ベースプレート、３２，４４：屈曲部、３８，４０，４２：蝶ネジ部材、１０４：固定金具、１０６：取付け螺子部材、１０８：挿通部材、１１０：固定螺子部材、Ａ：第一方向、Ｂ：第二方向、Ｒ：曲率半径、Φ：ワイヤーの直径。
【図１】
2019063769.tif 000003
【図２】
2019063769.tif 000004
【図３】
2019063769.tif 000005
【図４】
2019063769.tif 000006
【図５】
2019063769.tif 000007
【図６】
2019063769.tif 000008